【事件の表示】
　平成　７年特許願第５１６７７９号「振幅独立出力を有する医療用センサ」拒絶査定不服審判事件〔平成　７年　６月２２日国際公開、ＷＯ９５／１６３８８、平成１０年　１月　６日国内公表、特表平１０−５０００２７〕について、次のとおり審決する。
【結　論】
　本件審判の請求は、成り立たない。
【理　由】
　本願は、１９９４年１１月２２日（パリ条約による優先権主張１９９３年１２月１７日、米国）を国際出願日とする出願であって、その請求項１−６に係る発明は、平成１７年１月２８日付け手続補正書で補正された明細書の特許請求の範囲の請求項１−６に記載された事項により特定されるとおりのものであると認める。
　これに対して、平成１９年７月２７日付けで拒絶理由を通知し、期間を指定して意見書を提出する機会を与えたが、請求人からは何らの応答もない。
　ここで、上記平成１９年７月２７日付け拒絶理由の内容は以下のとおりである。
　　
「［理由Ｉ］ 
 　本件出願は、明細書及び図面の記載が下記の点で不備のため、特許法第３６条第４項並びに第５項第１，２号及び第６項に規定する要件を満たしていない。 
 　 
 　　　　　　　　　　　　　　　　　記 
 　 
（ア）請求項１に、「前記コンバータはまた、・・・各光エミッタのための制御入力に接続されている。」と記載されているが、発明の詳細な説明には「制御入力」という記載はなく、これが発明の詳細な説明のどの構成に対応するものであるのか明確でなく、「制御入力」が何を意味しているのか、そしてこれがどのような技術的意義を有するものであるのかも明確でない。 
　なお、「光エミッタ」に相当する「ＬＥＤ」に接続される「ライン２１７」又は「ＬＥＤ」に入力される「ライン２１７のＬＥＤパルス信号」に関して、発明の詳細な説明には、『センサは二つのAGC回路を含むことができる。これは、赤色及び赤外の波長のための２個の異なった利得設定を可能にする。ライン２１７のLEDパルス信号は、マルチプレクサ又はスイッチに与えられる。ここで、マルチプレクサ又はスイッチは、赤色又はIRのLEDのいずれがパルス状にされるかに従う２個のAGC回路の間で選択する。変形的に、図２に示すような単一のＡＧＣが使用され、このとき、ライン２１７のパルス信号が赤色及びＩＲのための２個の異なった利得設定の間でＡＧＣをスイッチするために使用される。』（段落【００２１】）、『他の実施例として、センサは２個の別々の電流-周波数コンバータを有する２個の別々のチャンネルを使用することができる。電流-周波数コンバータの各々は、スイッチを介して光検出器に接続される。このスイッチは、ライン２１７のＬＥＤパルス信号によって制御される。各々のチャンネルは、それ独自のＡＧＣ回路をもっている。電流-周波数コンバータの出力は、ライン２１７のＡＧＣパルス信号によって制御される他のスイッチ又はマルチプレクサを通じて選択される。』（段落【００２２】）と記載されているが、「ライン２１７」は「マルチプレクサ又はスイッチ」に接続されるものであって、「電流-周波数コンバータ」に接続されるものではなく、「ライン２１７のＬＥＤパルス信号」は「電流-周波数コンバータ」に入力されるものでもない。そして、「電流-周波数コンバータ」に接続される「制御入力」は、本件出願の願書に最初に添付した明細書又は図面にも記載がなく、その記載からみて自明なものでもないので、新規事項である恐れがある点にも留意されたい。 
（イ）請求項６に、「前記周波数信号を受信し、前記入力バスへの前記周波数信号に対応する入力信号を選択的に与えるための、前記入力バスに接続される入力手段」と記載されているが、発明の詳細な説明には「入力手段」という記載はなく、「前記入力バスへの前記周波数信号に対応する入力信号を選択的に与える」という記載の技術的な意味も明確でない。 
　なお、「入力手段」が「入力バスに接続される」ものであることから、これが「受信器及び入力回路２６４」に相当するものと考えられなくもないが、発明の詳細な説明には「受信器及び入力回路２６４」に関して、『電流-周波数コンバータ２１２の出力は、ワイヤー（wire）で信号処理ユニットに送信できる。変形的に、光学送信器２１３が使用されてもよく、このとき、受信器及び入力回路２６４が、送信された光学信号を受信するために処理ユニット２１４に設けられる。』（段落【００１８】）、『信号処理ユニット２１４への入力信号は、最初に、受信器及び入力回路２６４によって受信される。光送信器２１３が使用されるところで受信器が使用され得る。入力信号は、受信した信号に対応する計数を発生し、これは、マイクロプロセッサ２２６により周期的に採取される。１つの実施例では、入力回路２６４は、特殊なデジタル信号プロセッサチップである。このような形状は、信号分析演算を非常に高度にする。これは、このような演算を実施するためのプロセッサ２２６の時間の大半を自由にするからである。』（段落【００２８】）という記載があるのみであり、「受信器及び入力回路２６４」において、「周波数信号を受信」することは記載されているが、「前記入力バスへの前記周波数信号に対応する入力信号を選択的に与える」ことは記載されていない。また、このことは、本件出願の願書に最初に添付した明細書又は図面に記載されたことでも、その記載からみて自明なことでもないので、上記「入力手段」の記載は新規事項である恐れがある点にも留意されたい。 
（ウ）図面には、図３Ｃがあるが、発明の詳細な説明、図面の簡単な説明には、図３Ｃに関する記載がない（不要であれば、削除されたい。その場合、現在の「図３Ｄ」を新たな「図３Ｃ」として、これに応じて発明の詳細な説明、図面の簡単な説明も補正されたい。）。 
（エ）段落【０００４】に「１×１０-9」と記載されているが、これは「１×１０−９」の誤記と認められる。 
（オ）段落【００２６】に、「
３２ビット
１６ビット
３２ビット
 　 
［理由II］ 
　本件出願の請求項１−６に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。 
 　 
　　　　　　　　　　　　　　　　記 
 　 
１．引用刊行物  
　刊行物１：特開平２−４５０４１号公報 
　刊行物２：特開平２−９５２５９号公報 
　刊行物３：特開平５−１５４１３６号公報 
　刊行物４：特開昭５７−１６８１２４号公報 
 　 
２．本願発明 
　本件出願は、１９９４年１１月２２日（パリ条約による優先権主張１９９３年１２月１７日、米国）を国際出願日とする出願であって、その請求項１−６に係る発明（以下それぞれ「本願発明１」−「本願発明６」という。）は、平成１７年１月２８日付け手続補正書で補正された明細書の特許請求の範囲の請求項１−６に記載された次のとおりのものと認める。  
「【請求項１】 
　パルス酸素計センサであって、 
　第１の波長の光を放出するための第１の光エミッタ、 
　第２の波長の光を放出するための第２の光エミッタ、 
　前記第１及び第２の光エミッタのパルスを交番して送ることのできる、前記第１及び第２の光エミッタのための制御入力、 
　前記第１及び第２の光エミッタから受信した光に対応するアナログ電流信号を発生するための光電検出器、及び 
　前記アナログ電流信号を送信のための周波数信号に変換するための、前記光電検出器に接続した電流-周波数コンバータ 
から成り、 
　前記コンバータはまた、前記第１の光エミッタから受信した光の強度に比例した周波数をもつ第１の部分、および前記第２の光エミッタから受信した光の強度に比例した周波数をもつ第２の部分をもつ周波数信号を発生するように、各光エミッタのための制御入力に接続されている、 
ことを特徴とするパルス酸素計センサ。 
　　【請求項２】 
　請求項１記載のセンサであって、 
　前記光電検出器及び電流-周波数コンバータが単一の半導体チップに集積され、 
　当該センサが前記電流-周波数コンバータに接続され、前記電流-周波数コンバータの公称出力周波数を制御するための、自動利得制御回路を含む、 
ところのセンサ。 
　　【請求項３】 
　請求項１記載のセンサであって、 
　前記周波数信号が、変化する周波数のデジタルパルス列である、 
ところのセンサ。 
　　【請求項４】 
　請求項１記載のセンサであって、 
　さらに、前記制御入力へのパルス信号を生成する手段を含む、 
ところのセンサ。 
　　【請求項５】 
　請求項１ないし４のいずれかに記載されたセンサを含むパルス酸素計。 
　　【請求項６】 
　請求項５記載の酸素計であって、 
　入力を有するマイクロプロセッサ、 
　前記マイクロプロセッサの入力に接続される入力バス、及び 
　前記周波数信号を受信し、前記入力バスへの前記周波数信号に対応する入力信号を選択的に与えるための、前記入力バスに接続される入力手段、 
を含む酸素計。」 
 　 
３．引用刊行物の記載事項  
３−１．引用刊行物１には、「光パルス検出方法および装置」に関する発明が記載されており、図面とともに次の事項が記載されている。  
 　 
（ア）「非侵襲性のパルス酸素計による血液の酸素飽和度とその他の血液成分の計算の改良方法および装置に関する。」（第９ページ左上欄第１２−１４行） 
（イ）「一般的にパルス酸素計は、動脈血中のヘモグロビンの血中酸素飽和度、体内に供給する個々の脈動血の量、患者の各鼓動に応じた脈動血の速度のみならず各種の血流特性を測定し、表示する。酸素計は、指、耳、鼻中隔または頭皮のような組織の血液が一面に広がる人体や動物の組織中に光を通過させ、その組織中における光の吸収を光電的に感知する。この時の光吸収量が、測定された血液成分の量を計算するために使用される。 
　組織内を通過される光は、血液中に存在する血液成分の量を表す１つの量であり、血液によって吸収される１つ又はそれ以上の波長のものが選択される。組織内を通過する光の透過量は、組織内の血液成分の量およびそれに関係した光吸収の変化に従って変化し得る。 
　例えば、Ｎ−１００酸素計は、１つは赤色光領域において約６６０ナノメータのディスクリート周波数を有し、もう１つは赤外線領域において約９２５ナノメータのディスクリート周波数を有する２個の発光ダイオード（ＬＥＤ）からの光を使用してヘモグロビンの酸素飽和度を測定するマイクロプロセッサ制御装置である。このＮ−１００酸素計マイクロプロセッサは、赤外線ＬＥＤを駆動する正極性の電流パルスと赤色ＬＥＤを駆動する負極性の電流パルスの両極性の駆動電流を２個のＬＥＤに対して供給して、２個のＬＥＤを交互に放射させるために４状態（ｆｏｕｒ−ｓｔａｔｅ）のクロックを使用し、投射光が例えば指先を通過し、この検出光または透過光が１個の光検出器により検出されるようにする。」（第９ページ左下欄第１６行−第１０ページ左上欄第８行）　 
（ウ）「第１Ａ図および第１Ｂ図を参照しながら、アナログ検出光信号およびアナログＥＣＧ信号処理用装置に関する本発明の好適な実施例を説明し、そして本実施例はアナログ／ディジタル変換部（“ＡＤＣ変換器”と称する。）１０００と、マイクロプロセッサ２０４０を駆動するためのソフトウェアを内蔵して、動脈血中のヘモグロビンの酸素飽和度を決定するためにディジタル化された光信号とＥＣＧ信号とを処理するディジタル信号処理部（“ＤＳＰ”と称する。）２０００の部分とから構成する。本発明部分を形成しないものは除いて、アナログ検出光信号とアナログＥＣＧ信号とを患者の部位から得るための装置が本発明に関連し、または、商業的に入手可能なネルカーＮ−２００パルス酸素計に組み入れられている装置である。その様な装置は、周期的な光パルスを含む光信号を検出するためのプレチスモ・センサ１００、プレチスモ・センサ１００と飽和度アナログ・フロントエンド回路３００およびＥＣＧアナログ・フロントエンド回路４００をそれぞれ有する従来のＥＣＧ電極とのインターフェースをとる患者モジュール２００、検出光信号をディジタル化可能な別々の赤色と赤外線のチャネルに処理するための飽和度アナログ回路３００、そしてディジタル化できるようにＥＣＧ信号を処理するＥＣＧアナログ・フロントエンド回路４００を内蔵する。Ｎ−２００酸素計は、また、外部ＥＣＧ信号を受取り、そしてＮ−２００処理手法と互換性があるように（以下に説明するように）その信号を処理する外部ＥＣＧ入力回路５００、処理可能な検出光信号を得るために適当な強度でプレチスモ・センサ１００における赤色および赤外線ＬＥＤをストローブするＬＥＤ駆動回路６００、そしてＡＤＣ１０００やＤＳＰ２０００はもちろん、ライン電流または蓄電池から関連回路の駆動用またはバイアス用各種調整電源（図示されない）を内蔵する。」（第２０ページ右上欄第１６行−同ページ右下欄第１６行） 
（エ）「好適な実施例において、この発明は、３つの入力信号、２つのプレチスモグラフまたは検出光信号（例えば、赤色と赤外線）と患者のＥＣＧ信号を必要とする。もし、アナログ信号が与えられるならば、これらの信号は、ＡＤＣに対する電圧入力範囲内でなければならないし、あるいはＡＤＣに対する電圧入力範囲内とするために、例えばオフセット・アンプにより調整されなければならない。既に信号がディジタル化されている状況では、それらはディジタル信号処理デバイス，ＤＳＰと互換性のあるビットでなければならない。」（第２１ページ左上欄第５−１６行） 
（オ）「プレチスモグラフ信号は、非侵襲性の酸素計、典型的には、Ｎ−１００酸素計に関して前述した方法で交互に赤色光と赤外線を患者の組織に照射することによる従来の方法で得られる。第１Ａ図および第１Ｂ図を参照して説明すると、センサ回路１００は、ＬＥＤ駆動電流が交互に一方のＬＥＤと他方のＬＥＤとを照射するように、アノード対カソードを並列接続した赤色ＬＥＤ１１０と赤外線ＬＥＤ１２０を有する。回路１００はまた、検出光信号波形である赤色光と赤外線プレチスモグラフの両方を含む単一のアナログ光信号として、患者の組織、例えば指１４０を通過する透過光のレベルを検出する光検出器１３０、好適には発光ダイオードを内蔵する。 
　第１Ａ，１Ｂ，２Ａおよび２Ｂ図を参照して説明すると、患者モジュール２００は、光検出器１３０のアナログ検出光信号を前置増幅するためのプリアンプ２１０、従来の方法で患者に取り付けられるＥＣＧ電極から検出されたアナログＥＣＧ信号を前置増幅するためのＥＣＧプリアンプ２２０、そして高電圧トランジェントがＥＣＧプリアンプ機器にダメージを与えないようにプリアンプ２２０とインバータ２３０および３本のＥＣＧ信号リード線の間に挿入された保護回路２５０を内蔵する。 
　プリアンプ２１０は、システムのダイナミックレンジを広げるために正電圧にバイアスされた電流−電圧変換器として構成される演算増幅器とすることができ、それにより発光ダイオード１３０の光電流を使用できる電圧信号に変換する。」（第２１ページ左上欄第１７行−同ページ左下欄第９行） 
（カ）「患者モジュール２００はまた、ＬＥＤ駆動電圧をＬＥＤ１１０，１２０に通すためのリード線を内蔵する。 
　第１Ａ，１Ｂ，３Ａおよび３Ｂ図を参照して説明すると、飽和度アナログ・フロントエンド回路３００は、患者モジュール２００からアナログ光信号を受取り、フィルタを通し、そしてその検出信号を検出された赤色および赤外線の光パルスに対応した別々の赤色および赤外線のアナログ電圧信号を供給するために処理する。この電圧信号は、不要な高周波成分、例えば１００ｋＨｚ以上を除去するためにローパスフィルタ３１０を通し、ＤＣ成分を除去するためにＡＣ結合コンデンサ３２５を通し、どの不要な低周波、例えば２０Ｈｚ以下をも除去するためにハイパスフィルタ３２０を通し、そして同期検出器３４０に与えられる信号レベルを増幅すると共に最適化するためにプログラマブルゲインステージ３３０を通過する。 
　同期検出器３４０は、存在するどの同相モード信号をも除去し、時間多重された光信号を１つは赤色電圧信号を表すチャネルに、もう１つは赤外線信号を表すチャネルの２チャネルに分割する。それから、各信号は、それぞれ２個の２ポール（ｐｏｌｅ）２０Ｈｚのローパスフィルタ３５０，３６０を有するフィルタ列とオフセットアンプ３７０，３８０を通過する。フィルタを通された電圧信号は、今や赤色および赤外線検出光信号に対応した信号情報を含む。さらに、飽和度回路３００においてアンプのオーバードライブを避けるために使用する回路、例えば、受容できないＬＥＤ駆動電流を指示するレベル検知回路３１２，３１４（ローパスフィルタ３１０の後に置かれる）、および受容できない入力アンプゲインのセッティングを指示するレベル検知回路３１５（プログラマブルゲインアンプ３３０の後に置かれる）を用いることができる。」（第２１ページ左下欄第２０行−第２２ページ左上欄第２０行） 
（キ）「第１図および第６図を参照して説明すると、ＡＤＣ１０００は、Ｎ−２００酸素計に必要なアナログ／ディジタル変換を提供する。前述の３つの電圧信号すなわち、赤色検出光信号、赤外線検出光信号およびＥＧＧ信号（好適には、患者モジュールからのＥＣＧ信号）は、ＡＤＣ１０００に入力される。この３つの信号は、従来のように多重化されそして１６ビット分解能をもたらす拡大レンジ１２ビットのアナログ／ディジタル変換技術によってデジタル化される。入力信号は、マルチプレクサ１０１０およびバッファアンプ１０２０を通過する。この変換ステージは、オフセットアンプ１０３０、信号の一部分が取り除かれその剰余がより高分解能のために更に増幅されることを可能にするプログラマブルゲイン回路１０４０、サンプル・ホールド回路１０５０、比較器１０６０、および１２ビットのディジタル／アナログ変換器１０８０を含む。バッファアンプを通った信号はＤＣバイアスを印加するためにオフセットアンプ１０３０を通され、そこで信号の一部が除去され、その残りが解像度を改善するためにプログラマブルゲイン回路１０４０を通すことにより増幅される。増幅された信号は、次にサンプル・ホールド回路１０５０を通り、その出力は比較器１０６０の一方の入力に与えられる。比較器１０６０の他方の入力は、ディジタル／アナログ（“ＤＡＣ”）変換器１０８０の出力であり、比較器１０６０への入力が同じ場合、サンプル・ホールド回路におけるアナログ電圧はＤＡＣ変換器１０８０中の対応するディジタルのワードが与えられ、それはそのサンプルに対するディジタル化されたデータとして適当なメモリデバイスに格納され、そして次のサンプルがサンプル・ホールド回路１０５０ヘディジタル化されるために送られる。 
　第１図、第４図、第６図および第７図を参照して説明すると、ＤＡＣ１０８０はまた、アナログ・マルチプレクサ６１０を使用して、マイクロプロセッサ２０４０の制御のもとで、センサＬＥＤ駆動電圧を発生し、アナログ・マルチプレクサ６１０は赤色ＬＥＤと赤外線ＬＥＤとをそれぞれ駆動するために、入ってくるアナログ信号を２チャネルの内の１つに分離し、該２チャネルは各サンプル・ホールド回路６２０，６３０を有し、ＬＥＤ駆動回路６４０はＬＥＤ１１０，１２０を駆動するために各アナログ電圧信号をそれぞれ正負の２極性の電流信号に変換する。 
　このアナログ信号をディジタル信号に変換する代わりの技術、例えば、１６ビットのアナログ／ディジタル変換器を使用することができる。」（第２３ページ左上欄第２行−同ページ左下欄第１６行） 
（ク）「第１図と第７図を参照して説明すると、ＤＳＰ２０００は入力信号と出力信号および中間処理を含む、信号処理動作のあらゆる面を制御する。この装置は、１６ビットのマイクロプロセッサ２０４０及び関連するサポート回路を内蔵し、この関連するサポート回路は、データバス１０、ランダム・アクセス・メモリ（ＲＡＭ）２０２０、リード・オンリ・メモリ（ＲＯＭ）２０３０、従来のＬＥＤ表示装置２０１０（詳細には示されない）、必要なクロック同期信号およびノッチフィルタ周波数信号を供給するためのシステム・タイミング回路２０５０を内蔵する。好適な実施例では、マイクロプロセッサ２０４０は、カリフォルニア州、サンタクララにあるインテルコーポレーションにより製造されるマイクロプロセッサ・モデル８０８８である。従来のパルス検出手法に従って光パルスであるとされた光パルス信号中に検出されるパルスに基づいて、酸素飽和度の決定がなされるアンインテグレーテッド・モードと、本発明の好適な実施例に従って同期化された付加的な合成光信号情報に基づいて決定されるＥＣＧ同期モードとの２つのモードの内の１つにおいて、代わりのどのモデルのマイクロプロセッサでも使用され得る。本発明の代わりの実施例において、アンインテグレーテッド・モードにおける飽和度の決定は、時間領域解析手法のＥＣＧ同期化特徴を有すると有しないとに拘らずこの発明に従って周波数領域解析手法に基づかせることができる。」（第２３ページ左下欄第１７行−第２４ページ左上欄第７行）
　　
　これらの記載によると、引用刊行物１には次の発明（以下「引用発明１」という。）が記載されているものと認められる。  
「赤色光領域の光を発光する赤色ＬＥＤ１１０と、 
　赤外線領域の光を発光する赤外線ＬＥＤ１２０と、 
　前記赤外線ＬＥＤ１２０を駆動する正極性の電流パルスと、前記赤色ＬＥＤ１１０を駆動する負極性の電流パルスを、前記赤外線ＬＥＤ１２０と前記赤色ＬＥＤ１１０に交互に供給するためのリード線と、 
　前記赤色ＬＥＤ１１０と前記赤外線ＬＥＤ１２０から発光され、患者の組織を通過した透過光のレベルに対応するアナログの電流を発生する光検出器１３０と、 
　前記光検出器１３０が発生したアナログの電流を電圧に変換するプリアンプ２１０と、を備えたパルス酸素計。」（：引用発明１） 
 　 
　また、引用刊行物１には、次の発明（以下それぞれ「引用発明２」−「引用発明４」という。）が記載されているものと認められる。 
「引用発明１において、 
　前記プリアンプ２１０から出力されるアナログ電圧信号のレベルを増幅するとともに最適化するプログラマブルゲインステージ３３０を備えたパルス酸素計。」（：引用発明２） 
 　 
「引用発明１において、 
　前記リード線へ前記電流パルスを供給するＬＥＤ駆動回路６００を備えたパルス酸素計。」（：引用発明３） 
 　 
「引用発明１において、 
　マイクロプロセッサ２０４０と、 
　該マイクロプロセッサ２０４０に接続されるデータバス１０と、 
　前記プリアンプ２１０から出力されるアナログ電圧信号をディジタル変換して該データバス１０に与えるアナログ／ディジタル変換部１０００を備えたパルス酸素計。」（：引用発明４） 
 　  
３−２．引用刊行物２には、「酸素飽和度測定方法」に関する発明が記載されており、図面とともに次の事項が記載されている。 
（ア）「第１図は本発明が実施される測定装置の一例を表わす。 
 　２−１〜２−３はそれぞれ特定の波長λ１，λ２，λ３のレーザ光を発振するレーザダイオードであり、それぞれの出力は例えば３０ｍＷである。発振波長（λ１，λ２，λ３）は７００ｎｍ以上に設定することが好ましく、その組合わせは例えば（７８０ｎｍ，８０５ｎｍ，８３０ｎｍ）、（７００ｎｍ，７３０ｎｍ，７５０ｎｍ）であるが、これらの波長に限定されず、任意に設定することができる。レーザダイオード２−１〜２−３は駆動回路４によって順次切り替えて発振させられる。駆動回路４はＣＰＵ６によって制御される。８は測定対象としての生体組織であり、レーザダイオード２−１〜２−３からのレーザビームが照射用光ガイド１０によって生体組織８に導かれる。光ガイド１０は例えば直径５ｍｍの光ファイバ束である。１２は検出器である光電子増倍管であり、生体組織８による透過光又は反射光が検出用光ガイド１４によって光電子増倍管１２に導かれる。光ガイド１４も例えば直径が５ｍｍの光ファイバ束である。 
　１６は光電子増倍管１２の出力信号を増幅するプリアンプ、１８は増幅された信号をサンプルホールドするサンプルホールド回路、２０はサンプルホールド回路１８の出力信号を増幅する増幅器、２２は増幅された信号電圧を周波数に変換するＶ／Ｆ変換器であり、Ｖ／Ｆ変換器２２の出力信号がＣＰＵ６に入力されてカウントされる。 
　ＣＰＵ６はレーザダイオード２−１〜２−３の発振を制御するとともに、各波長λ１，λ２，λ３でのデータを取り込み、経時吸光度変化量ΔＡ１，ΔＡ２，ΔＡ３を算出する。その算出した経時吸光度変化量ΔＡ１，ΔＡ２，ΔＡ３と予め測定されて設定された吸光係数ｋ１，ｋ２，ｋ３，ｋ１′，ｋ２′，ｋ３′とから酸素化型ヘモグロビン量変動Δ〔ＨｂＯ２〕及び全ヘモグロビン量変動Δ〔ＴＨｂ〕を算出し、さらに酸素飽和度ＳＯ２＝Δ〔Ｈｂ０２〕／〔ΔＴＨｂ〕×１００（％）を算出する。」（第３ページ右上欄第３行−同ページ右下欄第２行） 
 　 
３−３．引用刊行物３には、「光生体計測装置」に関する発明が記載されており、図面とともに次の事項が記載されている。 
（ア）「【０００９】 
【実施例】図４は本発明が適用される光生体計測装置の一例を示したものである。２−１〜２−３はそれぞれ特定の波長λ1，λ2，λ3のレーザ光を発振するレーザダイオードであり、それぞれの出力は例えば３０ｍＷである。発振波長（λ1，λ2，λ3）は７００ｎｍ以上に設定することが好ましく、その組合わせは例えば（７８０ｎｍ，８０５ｎｍ，８３０ｎｍ)、(７００ｎｍ，７３０ｎｍ，７５０ｎｍ）であるが、これらの波長に限定されず、任意に設定することができる。レーザダイオード２−１〜２−３は駆動回路４によって順次切り替えて発振させられる。駆動回路４はＣＰＵ６によって制御される。８は測定対象物としての生体組織であり、レーザダイオード２−１〜２−３からのレーザビームが照射用光ガイド１０によって生体組織８に導かれる。光ガイド１０は例えば直径５ｍｍの光ファイバ束である。１２は検出器である光電子増倍管であり、生体組織８による透過光又は反射光が検出用光ガイド１４によって光電子増倍管１２に導かれる。光ガイド１４も例えば直径が５ｍｍの光ファイバ束である。１６は光電子増倍管１２の出力信号を増幅するプリアンプ、１８は増幅された信号をサンプルホールドするサンプルホールド回路、２０はサンプルホールド回路１８の出力信号を増幅する増幅器、２２は増幅された信号電圧を周波数に変換するＶ／Ｆ変換器であり、Ｖ／Ｆ変換器２２の出力信号がＣＰＵ６に入力されてカウントされる。 
【００１０】ＣＰＵ６はレーザダイオード２−１〜２−３の発振を制御するとともに、各波長λ1，λ2，λ3でのデータを取り込み、経時吸光度変化量ΔＡ1，ΔＡ2，ΔＡ3を算出する。その算出した経時吸光度変化量ΔＡ1，ΔＡ2，ΔＡ3と予め測定されて設定された吸光係数ｋ1，ｋ2，ｋ3，ｋ1’，ｋ2’，ｋ3’とから酸素化型ヘモグロビン量変動Δ〔ＨｂＯ2〕、脱酸素化型ヘモグロビン量変動Δ〔Ｈｂ〕及び全ヘモグロビン量変動Δ〔ＴＨｂ〕を算出する。これらの各量の変動の算出は特開平２−９５２６２号公報に記載されているので、ここではその記載を省略する。本発明との関係では、図１に示される変化率算出部５２、体動判定部５４及び出力シフト部５６は図４のＣＰＵ６により実現される。」 
 　 
３−４．引用刊行物４には、「光電流−周波数変換回路」に関する発明が記載されており、図面とともに次の事項が記載されている。 
（ア）「フォトダイオードのカソードを差動増幅器の非反転入力へ接続し、アノードを反転入力へ接続しさらにその増幅器の出力から該反転入力へ強い帰還を施した増幅器とその増幅器の出力電流をコンデンサに充電するための電流ミラー回路とコンデンサの充電時間を発振周期とする発振器とからなることを特徴とする光電流−周波数変換回路。」（第１ページ左下欄第７−１３行） 
（イ）「本発明は輝度情報を光電流情報として入力しディジタル処理可能な周波数情報の形態に変換する光電流−周波数変換回路に関するものである。」（第１ページ左下欄第１６−１８行） 
（ウ）「本発明は上記構成に対応する機能をＣＭＯＳ集積回路１種で実現するものである。」（第１ページ右下欄第１０−１１行） 
（エ）「本発明によれば従来２種の集積回路が必要であった光電流のディジタル変換をＣＭＯＳ集積回路のみで実現可能でありシステム構成の簡略化が可能となる効果がある。」（第２ページ左上欄第１７−２０行） 
 　 
４．対比・判断  
（１）本願発明１及び５について 
　本願発明１及び５と引用発明１とを対比する。 
　まず、引用発明１の(a)「パルス酸素計」は、本願発明５の(a')「パルス酸素計」に相当することは明らかであって、そのセンサ部分が本願発明１の(a'')「パルス酸素計センサ」に相当する。 
　また、引用発明１の、(b)「赤色光領域の光を発光する赤色ＬＥＤ１１０と、赤外線領域の光を発光する赤外線ＬＥＤ１２０」は、本願発明１及び５の、(b')「第１の波長の光を放出するための第１の光エミッタ、第２の波長の光を放出するための第２の光エミッタ」に相当することは明らかであり、引用発明１の、(c)「前記赤色ＬＥＤ１１０と前記赤外線ＬＥＤ１２０から発光され、患者の組織を通過した透過光のレベルに対応するアナログの電流を発生する光検出器１３０」は、本願発明１及び５の、(c')「前記第１及び第２の光エミッタから受信した光に対応するアナログ電流信号を発生するための光電検出器」に相当する。 
　そして、引用発明１の赤外線ＬＥＤ１２０と赤色ＬＥＤ１１０に電流パルスを供給するための「リード線」は、赤外線ＬＥＤ１２０と赤色ＬＥＤ１１０にその点灯を制御するための電流パルスを入力させるものであるから、本願発明１及び５における「制御入力」に相当するものといえるので、引用発明１の、(d)「前記赤外線ＬＥＤ１２０を駆動する正極性の電流パルスと、前記赤色ＬＥＤ１１０を駆動する負極性の電流パルスを、前記赤外線ＬＥＤ１２０と前記赤色ＬＥＤ１１０に交互に供給するためのリード線」は、本願発明１及び５の、(d')「前記第１及び第２の光エミッタのパルスを交番して送ることのできる、前記第１及び第２の光エミッタのための制御入力」に相当する。 
　したがって、本願発明１又は５と引用発明１とは、 
　一致点１ 
「パルス酸素計センサであって、 
　第１の波長の光を放出するための第１の光エミッタ、 
　第２の波長の光を放出するための第２の光エミッタ、 
　前記第１及び第２の光エミッタのパルスを交番して送ることのできる、前記第１及び第２の光エミッタのための制御入力、 
　前記第１及び第２の光エミッタから受信した光に対応するアナログ電流信号を発生するための光電検出器、 
から成るパルス酸素計センサ、又は、該センサを含むパルス酸素計。」 
である点で一致し、次の点で相違する。 
　相違点１ 
　本願発明１及び５は、光電検出器から発生した電流信号を送信のための周波数信号に変換し、そのための光電検出器に接続した電流-周波数コンバータを備えるのに対し、引用発明１は、光電検出器から発生した電流信号を電圧に変換するための光電検出器に接続したプリアンプ２１０を備える点。 
　相違点２ 
　本願発明１及び５は、電流-周波数コンバータはまた、第１の光エミッタから受信した光の強度に比例した周波数をもつ第１の部分、および第２の光エミッタから受信した光の強度に比例した周波数をもつ第２の部分をもつ周波数信号を発生するように、各光エミッタのための制御入力に接続されているのに対し、引用発明１はこのような構成になっていない点。 
 　 
　上記相違点１，２について検討する。 
　相違点１について　 
　パルス酸素計において、光電検出器から発生した電流信号を周波数信号に変換してからＣＰＵに送信することは、引用刊行物２，３にも記載されているとおり周知である。そして光電検出器から発生した電流信号を周波数に変換するコンバータは、本願明細書の発明の詳細な説明において言及されているテキサス・インスツルメンツの光-周波数コンバータであるＴＳＬ２２０にみられるとおり（明細書の段落【００３１】−【００３３】）、そして引用刊行物３にも記載されているとおり、周知のものである。 
　よって、引用発明１において、光電検出器にプリアンプを接続することに替えて、光電検出器に周知の電流-周波数コンバータを接続して、光電検出器から発生した電流信号を周波数に変換して送信するように構成することは、当業者が容易に想到し得ることである。 
　相違点２について 
　上記［理由Ｉ］（ア）で指摘したとおり、電流-周波数コンバータを制御入力に接続することは、発明の詳細な説明、本件出願当初の明細書又は図面で裏付けられたものではないので、当該構成を除いて検討するに、一般に、光電検出器は受信した光の強度に比例した電流を出力し、電流-周波数コンバータは入力電流に比例した周波数信号を発生するものであるから、光電検出器に接続した電流-周波数コンバータから、第１の光エミッタから受信した光の強度に比例した周波数をもつ第１の部分、および第２の光エミッタから受信した光の強度に比例した周波数をもつ第２の部分をもつ周波数信号が発生するようになることは当然のことである。 
 　 
（２）本願発明２について 
　本願発明２と引用発明２とを対比する。 
　本願発明２と引用発明２とは、上記（１）の相当関係に加えて、引用発明２の「プログラマブルゲインステージ３３０」は、プリアンプ２１０から出力されるアナログ電圧信号のレベルを最適化するものであって、本願発明２の「自動利得制御回路」と光電検出器が発生した信号の自動利得制御を行う点で共通するものである。 
　したがって、本願発明２は引用発明２と、上記一致点１に加えて、「光電検出器から発生する信号の自動利得制御手段を備える点」で一致し、上記相違点１，２に加えて、次の点で相違する。 
　相違点３ 
　本願発明２は、光電検出器及び電流-周波数コンバータが単一の半導体チップに集積されるとともに、光電検出器から発生する信号の自動利得制御手段として、電流-周波数コンバータの公称出力周波数を制御するための自動利得制御回路を含むのに対し、引用発明２はこのような構成を備えていない点。 
　 
　上記相違点１，２については上記（１）相違点１について，相違点２についてで述べたと同様であり、上記相違点３について検討するに、光電検出器及び電流-周波数コンバータを単一の半導体チップに集積した光-周波数コンバータは、本願明細書の発明の詳細な説明において言及されている（段落【００３１】−【００３３】）テキサス・インスツルメンツの光-周波数コンバータであるＴＳＬ２２０にみられるとおり周知のものであるから、引用発明２において、該周知の光-周波数コンバータを採用することは、当業者が容易に想到し得ることである。 
　そして、テキサス・インスツルメンツの光-周波数コンバータＴＳＬ２２０は、本願明細書の発明の詳細な説明において言及されてもいるように（段落【００３３】、図５）、出力周波数範囲を外付けのコンデンサの容量で調整可能なものであるから（なお、テキサス・インスツルメンツの光-周波数コンバータ（LIGHT-TO-FREQUENCY CONVERTER）ＴＳＬ２２０のデータシートはhttp://focus.ti.com/lit/ds/symlink/tsl220.pdfで取得可能である）、光電検出器から発生する信号の自動利得制御手段として、電流-周波数コンバータの外付けのコンデンサの容量を調整して公称出力周波数を制御する自動利得制御回路を採用することは、当業者が容易に想到し得ることである。 
 　 
（３）本願発明３について。 
　本願発明３と引用発明１とを対比する。 
　本願発明３と引用発明１とは上記一致点１で一致し、上記相違点１，２に加えて、次の点で相違する。 
　＜相違点４＞ 
　本願発明３は、電流-周波数コンバータが発生する周波数信号が、変化する周波数のデジタルパルス列である点。 
 　 
　上記相違点１，２については上記（１）相違点１について，相違点２についてで述べたとおりであり、上記相違点４について検討するに、光電検出器から発生した電流信号を変化する周波数のデジタルパルス列に変換するコンバータは、本願明細書の発明の詳細な説明において言及されているテキサス・インスツルメンツの光-周波数コンバータであるＴＳＬ２２０にみられるとおり（明細書の段落【００３１】−【００３３】）、そして引用刊行物３にも記載されているとおり、周知のものである。 
　よって、引用発明１において、光電検出器に接続する電流-周波数コンバータとして変化する周波数のデジタルパルス列を出力するものを採用することは、当業者が容易に想到し得ることである。 
 　 
（４）本願発明４について 
　本願発明４と引用発明３とを対比する。 
　本願発明４と引用発明３とは、上記（１）の相当関係に加えて、引用発明３の「前記リード線へ前記電流パルスを供給するＬＥＤ駆動回路６００」が、本願発明４の「前記制御入力へのパルス信号を生成する手段」に相当する。 
　したがって、本願発明４と引用発明３は、上記一致点１に加えて、「前記制御入力へのパルス信号を生成する手段」を含む点で一致し、上記相違点１，２の点で相違するが、上記相違点１，２については上記（１）相違点１について，相違点２についてで述べたと同様であり、本願発明４は引用刊行物１に記載された発明及び周知技術から当業者が容易に想到し得るものである。 
　 
（５）本願発明６について 
　本願発明６と引用発明４とを対比する。 
　本願発明６と引用発明４とは、上記（１）の相当関係に加えて、引用発明４の、(a)「マイクロプロセッサ」、(b)「データバス１０」は、それぞれ本願発明６の、(a')「マイクロプロセッサ」、(b')「入力バス」に相当する。 
　また、引用発明４の「アナログ／ディジタル変換部１０００」と本願発明６の「入力手段」とは、ともに光電検出器が発生した信号を受信し、これを「入力バス」に与えるものである点で共通する。 
　したがって、本願発明６と引用発明４とは、上記一致点１に加えて、「入力を有するマイクロプロセッサ、前記マイクロプロセッサの入力に接続される入力バス、及び光電検出器が発生した信号を受信し、前記入力バスへの入力信号を与えるための、前記入力バスに接続される入力手段を含む」点で一致し、上記相違点１，２に加えて、次の点で相違する。 
　＜相違点５＞ 
　本願発明６は、入力手段が光電検出器が発生した電流信号を電流-周波数コンバータで変換した周波数信号を受信するものであって、入力バスへ前記周波数信号に対応する入力信号を選択的に与えるのに対し、引用発明４はこのような構成になっていない点。 
 　 
　上記相違点５について検討する。 
　上記［理由Ｉ］（イ）で指摘したとおり、「入力手段」が「前記入力バスへの前記周波数信号に対応する入力信号を選択的に与える」ことについては、発明の詳細な説明、本件出願当初の明細書又は図面で裏付けられたものではないので、当該構成を除いて検討するに、上記（１）相違点１について，相違点２についてで述べたと同様の理由で、引用発明４において、光電検出器にプリアンプを接続することに替えて、光電検出器に周知の電流-周波数コンバータを接続して、光電検出器から発生した電流信号を周波数に変換して送信するように構成し、光電検出器に接続した電流-周波数コンバータから、第１の光エミッタから受信した光の強度に比例した周波数をもつ第１の部分、および第２の光エミッタから受信した光の強度に比例した周波数をもつ第２の部分をもつ周波数信号が発生するようにすることは当業者が容易に想到し得ることである。そして、これに応じて、入力手段を前記周波数信号を受信するものとし、入力バスへ前記周波数信号を与えるものとすることは、当業者が容易になし得た設計変更である。 
 　 
　そして、本願発明１−６の作用効果も、引用刊行物１に記載された発明及び周知技術から、当業者であれば予想できる範囲のものである。  
　したがって、本願発明は、引用刊行物１に記載された発明及び周知技術に基づいて当業者が容易に発明をすることができたものである。 」
　　
　そして、上記の拒絶理由は妥当なものと認められるので、本願は、この拒絶理由によって拒絶すべきものである。
　よって、結論のとおり審決する。